(57)【要約】【課題】照明装置の調整作業が容易な照明装置を提供する。【解決手段】本発明の照明装置（４）は、マスター装置（３）からの信号によって撮影用照明光を被照射物（５）に照射する照明装置（４）であって、前記マスター装置（３）から送信される信号を受信する受信部（１６）と、前記撮影用照明光を照射する照射部（２０）と、前記受信部（１６）により受信された前記信号に基づいて前記照射部（２０）の一部（３０，３１）を移動させる駆動部（２１，２２，２３）と、を備える。【選択図】図２
2009075340.tif 000002
【特許請求の範囲】
【請求項１】
マスター装置からの信号によって撮影用照明光を被照射物に照射する照明装置であって、
前記マスター装置から送信される信号を受信する受信部と、
前記撮影用照明光を照射する照射部と、
前記受信部により受信された前記信号に基づいて前記照射部の少なくとも一部を移動させる駆動部と、
を備える照明装置。
【請求項２】
請求項１に記載の照明装置であって、
前記駆動部により前記照射部の一部を移動することで、前記撮影用照明光の照射範囲又は照射方向の少なくとも一方を変更可能であることを特徴とする照明装置。
【請求項３】
請求項１又は２に記載の照明装置であって、
前記照射部が、発光部と、該発光部の外周を一部開口した状態で囲むリフレクタと、を有し、
前記駆動部が、前記リフレクタの開口の大きさを変更することで、前記発光部より発光される光の照射範囲を変更する照射範囲変更部を有することを特徴とする照明装置。
【請求項４】
請求項１〜３のいずれか１項に記載の照明装置であって、
前記照射部が、発光部と、該発光部の外周を一部開口した状態で囲むリフレクタと、を有し、
前記駆動部が、前記発光部及び前記リフレクタを回転することで前記発光部より発光される光の照射方向を変更する照射方向変更部を有することを特徴とする照明装置。
【請求項５】
請求項１〜４のいずれか１項に記載の照明装置であって、
前記受信部が設けられた本体部分と、
前記照射部が設けられたヘッド部分と、を備え、
前記ヘッド部分が前記本体部分に対して着脱可能であることを特徴とする照明装置。
【請求項６】
請求項１〜５のいずれか１項に記載の照明装置と、
前記照明装置の前記受信部に対して信号を送信する送信部を有するマスター装置と、
を具備する照明システム。
【請求項７】
請求項６に記載の照明システムであって、
前記マスター装置が、カメラのレリーズ信号により、設定された発光量で照明装置を発光させる撮影モードと、
前記照射部により照射される光の照射方向及び照射範囲の少なくとも一つの設定を行い、設定された内容を前記照明装置に送信可能な設定モードとを選択可能に構成されていることを特徴とする照明システム。
【請求項８】
請求項６又は７に記載の照明システムであって、
前記マスター装置が、カメラの一部又は該カメラに着脱可能な照明装置の一部に設けられていることを特徴とする照明システム。
【請求項９】
カメラから離間した位置において、撮影用照明光を被照射物に照射すると共に、カメラからの指示に応じて該照明光を照射する照射部の少なくとも一部を移動可能な照明装置と通信可能なカメラであって、
レリーズ信号に応じて前記照明装置を発光させる撮影モードと、前記照明装置から照射される光の照射方向及び照射範囲の少なくとも一つの設定を行い、その設定内容を前記照明装置に送信する設定モードと、を選択可能であることを特徴とするカメラ。
【発明の詳細な説明】
【技術分野】
【０００１】
本発明は、マスター装置からの信号によって撮影用照明光を被写体に照射する照明装置及び照明システムに関するものである。
【背景技術】
【０００２】
従来、マスター装置とリモート照明装置とを備え、マスター装置からの通信によりリモート照明装置の露出補正が行われる照明システムが提案されている（例えば、特許文献１参照）。
【特許文献１】特開平８−２０１８７０号公報
【発明の開示】
【発明が解決しようとする課題】
【０００３】
しかし、従来の照明システムにおいて、リモート照明装置から照射される光の照射方向及び照射範囲等を調整する場合、撮影者等が直接、リモート照明装置の向きを変えなくてはならない。リモート照明装置を使用する照明システムでは、リモート照明装置の設置位置とマスター装置の設置位置とが離れている場合が多く、光の照射方向及び照射範囲を調整する場合、リモート照明装置の位置まで撮影者等が移動しなくてはならず、調整作業が煩雑である。
【０００４】
本発明の課題は、調整作業が容易な照明装置及び照明システムを提供することである。
【課題を解決するための手段】
【０００５】
本発明は、以下のような解決手段により前記課題を解決する。なお、理解を容易にするために、本発明の実施形態に対応する符号を付して説明するが、これに限定されるものではない。
【０００６】
請求項１に記載の発明は、マスター装置（３）からの信号によって撮影用照明光を被照射物（５）に照射する照明装置（４）であって、前記マスター装置（３）から送信される信号を受信する受信部（１６）と、前記撮影用照明光を照射する照射部（２０）と、前記受信部（１６）により受信された前記信号に基づいて前記照射部（２０）の少なくとも一部（３０，３１）を移動させる駆動部（２１，２２，２３）と、を備える照明装置（４）である。
請求項２に記載の発明は、請求項１に記載の照明装置（４）であって、前記駆動部（２１，２２，２３）により前記照射部（２０）の一部（３０，３１）を移動することで、前記撮影用照明光の照射範囲又は照射方向の少なくとも一方を変更可能であることを特徴とする照明装置（４）である。
請求項３に記載の発明は、請求項１又は２に記載の照明装置（４）であって、前記照射部（２０）が、発光部（３０）と、該発光部（３０）の外周を一部開口した状態で囲むリフレクタ（３１）と、を有し、前記駆動部（２１）が、前記リフレクタ（３１）の開口の大きさを変更することで、前記発光部（３０）より発光される光の照射範囲を変更する照射範囲変更部（２１）を有することを特徴とする照明装置（４）である。
請求項４に記載の発明は、請求項１〜３のいずれか１項に記載の照明装置（４）であって、前記照射部（２０）が、発光部（３０）と、該発光部（３０）の外周を一部開口した状態で囲むリフレクタ（３１）と、を有し、前記駆動部（２２，２３）が、前記発光部（３０）及び前記リフレクタ（３１）を回転することで前記発光部（３０）より発光される光の照射方向を変更する照射方向変更部（２２，２３）を有することを特徴とする照明装置（４）である。
請求項５に記載の発明は、請求項１〜４のいずれか１項に記載の照明装置（４）であって、前記受信部（１６）が設けられた本体部分（１０）と、前記照射部（２０）が設けられたヘッド部分（１１）と、を備え、前記ヘッド部分（１１）が前記本体部分（１０）に対して着脱可能であることを特徴とする照明装置（４）である。
請求項６に記載の発明は、請求項１〜５のいずれか１項に記載の照明装置（４）と、前記照明装置（４）の前記受信部（１６）に対して信号を送信する送信部（５３）を有するマスター装置（３）と、を具備する照明システム（１）である。
請求項７に記載の発明は、請求項６に記載の照明システム（１）であって、前記マスター装置（３）が、カメラ（２）のレリーズ信号により、設定された発光量で照明装置（４）を発光させる撮影モードと、前記照射部（２０）により照射される光の照射方向及び照射範囲の少なくとも一つの設定を行い、設定された内容を前記照明装置（４）に送信可能な設定モードとを選択可能に構成されていることを特徴とする照明システム（１）である。
請求項８に記載の発明は、請求項６又は７に記載の照明システム（１）であって、前記マスター装置（３）が、カメラ（２）の一部又は該カメラ（２）に着脱可能な照明装置の一部に設けられていることを特徴とする照明システム（１）である。
なお、符号を付して説明した構成は、適宜改良してもよく、また、少なくとも一部を他の構成物に代替してもよい。
請求項９に記載の発明は、カメラ（２）から離間した位置において、撮影用照明光を被照射物（５）に照射すると共に、カメラ（２）からの指示に応じて該照明光を照射する照射部（２０）の少なくとも一部を移動可能な照明装置（４）と通信可能なカメラ（２）であって、レリーズ信号に応じて前記照明装置（４）を発光させる撮影モードと、前記照明装置（４）から照射される光の照射方向及び照射範囲の少なくとも一つの設定を行い、その設定内容を前記照明装置（４）に送信する設定モードと、を選択可能であることを特徴とするカメラ（２）である。
【発明の効果】
【０００７】
本発明によれば、リモート照明装置の調整作業を容易に行うことができる。
【発明を実施するための最良の形態】
【０００８】
以下、図面等を参照して、本発明の実施形態について説明する。図１は本発明にかかる撮影用照明システム１の一実施形態を示した図である。図示するように、本発明の撮影用照明システム１は、デジタルカメラ２と、カメラ２に着脱可能なマスター装置３と、２台のリモート照明装置４とを備える。マスター装置３はカメラに装着され、リモート照明装置４は固定台８に取り付けられて被写体５に光を照射するための適切な位置に配置されている。
【０００９】
図２は、リモート照明装置４の概略断面図である。なお、図２には、説明と理解を容易にするために、ｘｙｚ直交座標系を設けた。図示するようにリモート照明装置４は、本体部１０と、本体部１０に対して着脱可能なヘッド部１１とを備える。また、図３はリモート照明装置４のブロック図であり、（ａ）はヘッド部１１のブロック図、（ｂ）は本体部１０のブロック図である。
【００１０】
図３（ｂ）に示すように、本体部１０は、リモート電源部１３と、マスター装置３から光パルス信号を受信するリモート受光部１５と、マスター装置３から電波信号を受信するリモート受信部１６と、ヘッド部１１に接続される本体接続部１７とを有する。
【００１１】
リモート電源部１３は、ヘッド部１１も含めたリモート照明装置４の各部に電力を供給する部分で、その内部に、例えば乾電池等を配置することができるようになっている。リモート受光部１５はマスター装置３から発光量及び発光タイミングに関する光パルス信号を受信する。リモート受信部１６は、後述するリモート発光部２０の移動に関する電波信号を受信する。本体接続部１７は、リモート受光部１５により受光された光パルス信号、及びリモート受信部１６により受信された電波信号をヘッド部１１に伝達すると共にリモート電源部１３の電力をヘッド部１１に供給する。
【００１２】
図２及び図３（ａ）に示すようにヘッド部１１は、被写体５に対して照明光を照射するリモート発光部２０と、リモート発光部２０の照射範囲を調整する照射範囲調整機構２１と、リモート発光部２０の照射方向を上下（図１に示すようにリモート照明装置４を立設した場合に上下となる方向。図２におけるｙ方向）に移動させる上下方向移動機構２２と、リモート発光部２０の照射方向を左右（図１に示すようにリモート照明装置４を立設した場合に光の照射方向からリモート照明装置４を観察したときに左右となる方向。図２におけるｘ方向）に移動させる左右方向移動機構２３と、リモート発光部２０に供給される電荷を蓄えるコンデンサ２４と、コンデンサ２４からリモート発光部２０に供給される電圧量を調整する発光量調整部２５（図３にのみ図示）と、本体部１０の本体接続部１７と接続するヘッド接続部２６（図３にのみ図示）とを備える。
【００１３】
ヘッド部１１の上述の各部は、図２示すように、前カバー２８と、後カバー２９とで覆われている。前カバー２８は、ヘッド部１１におけるリモート発光部２０が配置された前方を覆う半球状の透明部材で形成されている。後カバー２９はヘッド部１１における、上下方向移動機構２２及び左右方向移動機構２３が配置されたヘッド部１１の後部を覆っている。また、後カバー２９の背面には、ヘッド部１１を手動操作する場合に用いる操作部２７が設けられている。
【００１４】
リモート発光部２０は、キセノン管３０とリフレクタ３１とを備える。キセノン管３０は、充電したコンデンサ２４（図３に示す）の電荷を放出させて閃光を生じさせるキセノン放電発光管であり、リモート照明装置４の左右（図２のｘ方向）に延びる棒部材である。
【００１５】
リフレクタ３１は、キセノン管３０から発光された閃光を、前方（ｚプラス方向）に反射させる反射部である。リフレクタ３１は、キセノン管３０の後側（ｚマイナス側）を覆う後壁部３１ａと、キセノン管３０の前側の左右（ｘ方向）の両端に配置された側壁部３１ｂ（一方のみ図示）と、キセノン管３０の前側の上部（ｙプラス側）に配置された上壁部３１ｃと、キセノン管３０の前側（ｚプラス側）の下部（ｙマイナス側）に配置された下壁部３１ｄと、を備える。
【００１６】
後壁部３１ａは、図２に示すように、断面が略半楕円形になるように板部材を湾曲させて形成されたものであり、内側に配置されたキセノン管３０の閃光を前方に反射する。側壁部３１ｂは、後壁部３１ａの左右の両端をそれぞれ覆う半円形の部分と、その半円形の部分から前方に向かって扇状に広がる扇状の部分とを有する板部材である。また、半円形の部分には、挿通孔３１ｅが設けられ、キセノン管３０の両端がその挿通孔３１ｅに挿通されてキセノン管３０がリフレクタ３１に対して固定されている。上壁部３１ｃ及び下壁部３１ｄは、後壁部３１ａの上下縁部にそれぞれ回転可能に取り付けられた長方形の板部材であり、後述するピストン３２により開閉方向に移動される。
【００１７】
照射範囲調整機構２１は、リフレクタ３１の上壁部３１ｃ及び下壁部３１ｄの後面（ｚマイナス面）をそれぞれ押圧するピストン３２と、上壁部３１ｃ及び下壁部３１ｄのそれぞれにおける後壁部３１ａに接続されている側と反対側の端部を後方に付勢するばね部材３３とを備える。上壁部３１ｃ及び下壁部３１ｄは、キセノン管３０の近傍を中心として互いに開閉方向に移動することでキセノン管３０の光の照射範囲を調整することが可能になっている。ばね部材３３が上壁部３１ｃ及び下壁部３１ｄを互いに広がる方向に付勢する一方、ピストン３２は、所望位置で上壁部３１ｃ及び下壁部３１ｄが止まるようにばね部材３３の力に抗してピストン３２の先端で上壁部３１ｃ及び下壁部３１ｄの後面を押圧している。後述するマスター装置３から本体部１０を介して送られる信号によりピストン３２の先端が前方に移動すると、図２において二点破線で示すように上壁部３１ｃ及び下壁部３１ｄがばね力に抗して互いに閉じる方向に移動し、ピストン３２の先端が後方に移動すると、上壁部３１ｃ及び下壁部３１ｄがばね力により互いに開く方向に移動する。
【００１８】
上下方向移動機構２２は、リモート発光部２０を、左右（ｘ方向）に延びる軸線３５を中心として回転させて、リモート発光部２０による光の照射方向を上下に移動させる機構である。上下方向移動機構２２は、リフレクタ３１の後壁部３１ａを固定する発光部保持板３６と、発光部保持板３６の後方に取り付けられた湾曲部３９と、を備える。上下方向移動機構２２は、さらに、湾曲部３９の回転駆動力を発生させる上下駆動モータ４１と、この上下駆動モータ４１の回転力を湾曲部３９に伝達させる上下駆動ギア列４２と、この上下駆動モータ４１及び上下駆動ギア列４２を支えるラック部４５と、発光部保持板３６を軸線３５を中心として回転可能に支持する保持板支持部３８と、ラック部４５及び保持板支持部３８が固定された回転台４７とを備える。
【００１９】
発光部保持板３６は、長方形の板部材であって、上下方向（ｙ方向）の中央部にリフレクタ３１の後壁部３１ａがねじ止めされている。発光部保持板３６の上下方向（ｙ方向）の両端部の前面にはピストン３２が取り付けられ、発光部保持板３６の上端と上壁部３１ｃの上端との間、及び発光部保持板３６の下端と下壁部３１ｄの下端との間には、ばね部材３３が取り付けられ、上述したように、上壁部３１ｃと下壁部３１ｄとは互いに開くように付勢されている。
【００２０】
湾曲部３９は、板状部材を湾曲させて断面が略半円形になるように形成されると共に、その両端が発光部保持板３６の上端部及び下端部のそれぞれの後面に固定されている。また湾曲部３９の後面の中央の所定範囲には、長手方向（ｘ方向）に延びる複数の溝４４が形成されている。
【００２１】
上下駆動モータ４１は、例えばＤＣモータ、或いはステッピングモータであり、マスター装置３から送信されて本体部１０により受信される信号に従って回転する。上下駆動ギア列４２は、上下駆動モータ４１の回転を減速して湾曲部３９に伝達する部分である。上下駆動ギア列４２の最終ギアは、湾曲部３９の溝４４に係合し、上下駆動モータ４１が回転すると、上下駆動ギア列４２及び溝４４を介して回転力が伝達され、湾曲部３９が軸線３５を中心として図中Ａ方向に回転する。
【００２２】
ラック部４５は、上下駆動ギア列４２の各ギアの中心軸及び上下駆動モータ４１を支持する部材である。また、保持板支持部３８は、発光部保持板３６の後面に軸線３５を中心として発光部保持板３６が回転できるように取り付けられている。回転台４７は、後述する左右方向移動機構２３により回転される部分であって、回転台４７の上には、ラック部４５と保持板支持部３８とが取り付けられ、回転台４７の下には、回転台軸部４８が下方に向かって延びている。
【００２３】
左右方向移動機構２３は、回転台軸部４８に取り付けられた左右駆動ギア列４６と、その左右駆動ギア列４６を回転駆動する左右駆動モータ４９とを備える。左右駆動ギア列４６は、左右駆動モータ４９の回転を減速して回転台軸部４８に伝達し、回転台４７、及びその上に固定された上下方向移動機構２２及びリモート発光部２０を回転させることにより、リモート発光部２０から照射される光を左右に移動させる。
【００２４】
コンデンサ２４には、本体部１０のスイッチ（図示せず）がオンにされると、図３に示すように本体部１０及びヘッド接続部２６を介してリモート電源部１３より電力が供給され、電荷のチャージが開始される。発光量調整部２５は、チャージされたコンデンサ２４の電荷を指定された量だけ放出させる。
【００２５】
図３に示すヘッド接続部２６は、本体接続部１７と接続することによりヘッド部１１に電力を供給すると共に、本体部１０のリモート受信部１６及びリモート受光部１５を介して受信及び受光された電波信号及び光パルス信号をヘッド部１１に伝達する。また、操作部２７は、例えばジョイスティックであり、ヘッド部１１を手動で操作する場合に使用される。ジョイスティックを上下すると上下方向移動機構２２によりヘッド部１１の内部においてリモート発光部２０が上下に回転して照射光が上下に移動する。またジョイスティックを左右に動かすと、左右方向移動機構２３によりヘッド部１１の内部においてリモート発光部２０が左右に回転されて照射光が左右に移動する。
【００２６】
図４はマスター装置３のブロック図である。マスター装置３は、本実施形態においてカメラ２に装着可能な外付けの照明装置である。マスター装置３は外部より操作可能なマスター操作部５０と、リモート照明装置４からの光を受光するマスター受光部５１と、カメラ２のレリーズ信号により発光するマスター発光部５２と、各リモート照明装置４に各種情報を送信するマスター送信部５３と、各種演算を行うＣＰＵ５４と、カメラ２と接続されるマスター接続部５５と、マスター電源部５６とを備える。
【００２７】
マスター操作部５０は、使用者が操作すると、その操作に応じてリモート照明装置４の照射方向及び照射範囲の入力がなされる、例えば液晶表示部である。撮影者等は照射方向及び照射範囲の設定を変更する場合、マスター操作部５０を介して変更指示を入力する。
【００２８】
マスター発光部５２は、リモート照明装置４のリモート発光部２０と同様にキセノン管（図示せず）とリフレクタ（図示せず）とを備え、被写体５を照明する部分であるが、リモート照明装置４のリモート発光部２０と異なり、リフレクタの照射方向及び照射範囲を変更する機構は備えられていない。また、マスター発光部５２は、カメラ２からマスター装置３に出力されるレリーズ信号に応じて予備発光信号をリモート照明装置４に送信する。マスター受光部５１は、その予備発光信号により予備発光されたリモート照明装置４の発光量を受光する。そしてマスター発光部５２は、その受光量を基に決定された、各リモート照明装置４の本発光における発光量及び本発光のタイミングに関する情報を、光パルス信号としてリモート照明装置４に送信する。マスター送信部５３は、マスター操作部５０を介して入力されるリモート照明装置４の照射方向及び照射範囲に関する情報を、各リモート照明装置４に電波信号として送信する。
【００２９】
ＣＰＵ５４は、マスター受光部５１によって受光されたリモート照明装置４の予備発光の発光量より各々のリモート照明装置４の本発光における発光量を演算し、その演算結果をマスター発光部５２よりリモート照明装置４に光パルス信号として送信させる。また、ＣＰＵ５４はマスター操作部５０を介して入力されるリモート照明装置４の照射方向及び照射範囲の変更指示をマスター送信部５３よりリモート照明装置４に電波信号として送信させる。
【００３０】
マスター接続部５５は、カメラ２の接続部（図示せず）に接続される部分である。また、マスター電源部５６はマスター装置３内の各部に電力を供給する部分で、内部に例えば乾電池等を配置することができるようになっている。
【００３１】
次に、本実施形態の動作について説明する。まず、撮影者は図１に示すように被写体５の周りにリモート照明装置４を配置し、撮影準備を行う。図５は撮影準備完了後のマスター装置３の動作を示したフローチャートである。まず、撮影者によりマスター操作部５０を介して、本撮影を行うか（撮影モード）、あるいはリモート照明装置４の各種設定の変更を行う（設定モード）かが選択される。マスター操作部５０よりその情報（選択したモードの情報）が入力される（ステップ１、以下ステップはＳで示す）。
【００３２】
撮影モードが選択された場合、Ｓ２に進む。Ｓ２で、カメラ２のレリーズボタン６が押されたことを示すレリーズ信号が出力されてきたか判断される。マスター装置３にレリーズ信号が伝達されると（Ｓ２，ＹＥＳ）、ＣＰＵ５４よりマスター発光部５２に対してリモート照明装置４に予備発光させる光パルス信号が送信される。その光パルス信号に従い予備発光されたリモート照明装置４の発光量がマスター受光部５１により受光され、ＣＰＵ５４により各リモート照明装置４に対して適切な発光量が設定される。設定された発光量及び発光タイミングを含む光パルス信号が、マスター発光部５２より各リモート照明装置４に送信される（Ｓ３）。
【００３３】
各リモート照明装置４においては、設定された発光量及び発光タイミングを含む光パルス信号に従い、カメラ２のシャッタが開いたときにリモート照明装置４及びマスター装置３が本発光し、カメラ２の撮像素子によって画像が撮影される（Ｓ４）。撮影が完了すると図５のフローチャートにおけるスタート位置に戻る。なお、この撮影された画像は、カメラ２の背面に設けられた液晶表示部（図示せず）に表示される。
【００３４】
Ｓ１で設定モードが選択された場合、発光量、照射範囲、及び照射方向のいずれを変更するかが選択される。発光量を変更する場合、例えば、前もって撮影されて液晶表示部に表示されている画像を参考にして、各リモート照明装置４の発光量を現在の値からプラス方向又はマイナス方向のどちらの方向にどの程度変更するかが入力される。照射方向を変更する場合、マスター操作部５０より、２台のリモート照明装置４のうちのどちらのリモート照明装置４を、どの方向に移動させるかが入力される。照射範囲を変更する場合、マスター操作部５０により２台のリモート照明装置４のうちのどちらのリモート照明装置４の照射範囲をどの程度変更するかが入力される（Ｓ６）。
【００３５】
これらの発光量、照射方向及び照射範囲の設定が変更され（Ｓ７，ＹＥＳ）、設定内容を各リモート照明装置４に送信することが選択された場合（Ｓ８，ＹＥＳ）、マスター送信部５３から各リモート照明装置４に電波信号が送信される（Ｓ９）。なお、発光量が変更されたときは、後に撮影を行う場合にＳ３において発光量に関する光パルス信号は送信されないか、又は送信されてもＳ９において送信された発光量に関する情報が優先される。
【００３６】
発光量、照射方向及び照射範囲の設定の変更がない場合（Ｓ７，ＮＯ）、設定モードは終了し、スタートへと戻る。また、発光量、照射方向及び照射範囲の設定の変更があったが（Ｓ７，ＹＥＳ）、設定内容を各リモート照明装置４に送信することが選択されなかった場合（Ｓ８，ＮＯ）、再度各種設定を変更するＳ６へと戻る。
【００３７】
Ｓ９により照射方向の設定の変更が情報がマスター装置３から送信されると、リモート照明装置４の本体部１０のリモート受信部１６によりその情報が受信される。その情報は本体接続部１７及びヘッド接続部２６を介してヘッド部１１に伝達される。照射方向の変更が上下方向の変更の場合、図２に示す上下方向移動機構２２の上下駆動モータ４１が駆動され、上下駆動ギア列４２が回転され、最終ギアと溝４４が係合して湾曲部３９が回転する。これによりリモート発光部２０が設定に従って軸線３５を中心として回転し、リモート発光部２０の照射方向が上下に移動される。
【００３８】
照射方向の変更が左右方向の変更の場合、左右方向移動機構２３の左右駆動モータ４９が駆動され、左右駆動ギア列４６が回転されて回転台軸部４８、すなわち回転台４７が回転する。これによりリモート発光部２０が設定に従って回転台軸部４８を中心として回転し、照射方向が左右に変更される。
【００３９】
照射範囲の設定の変更があった場合、リモート照明装置４の本体部１０のリモート受信部１６によりその情報が受信される。その情報は本体接続部１７及びヘッド接続部２６を介してヘッド部１１の照射範囲調整機構２１に伝達される。そして、照射範囲を狭くする場合はピストン３２が前方に進みリフレクタ３１の上壁部３１ｃ及び下壁部３１ｄが後面より前方に押され、上壁部３１ｃ及び下壁部３１ｄが互いに閉じる方向に移動し、照射範囲が狭くなる。一方、照射範囲を広くする場合はピストン３２が縮んでリフレクタ３１がばね部材３３によって後方に引かれ、リフレクタ３１の上壁部３１ｃ及び下壁部３１ｄが互いに開く方向に移動し、照射範囲が広くなる。
【００４０】
また発光量の設定の変更があった場合、各リモート照明装置４におけるコンデンサ２４の放電量が調整されて、キセノン管３０の発光量が調整される。
【００４１】
以上、本実施形態によると、以下の効果を有する。
（１）リモート照明装置４を使用する撮影用照明システム１では、リモート照明装置４とマスター装置３との設置位置が離れている場合が多い。しかし、本実施形態では、リモート照明装置４の照射方向及び照射範囲をカメラ２に装着されたマスター装置３から変更することができる。このため、リモート照明装置４の照射方向及び照射範囲の変更作業が容易である。
【００４２】
（２）照射範囲調整機構２１、上下方向移動機構２２及び左右方向移動機構２３を備えるリモート照明装置４は、それらの機構を有するために、通常のリモート照明装置４よりも大型化すると考えられる。しかし、本実施形態においてリモート照明装置４は、これらの駆動機構を有するヘッド部１１が本体部１０から着脱可能である。したがって、これらの機構を有さない発光部のみ有する通常のヘッド部を別途備え、例えば、リモート照明装置をカメラ２本体に取り付けて通常の照明装置として使用する場合等、通常のヘッド部でも撮影に不便が生じない場合、この通常のヘッド部に交換することで撮影用照明システムをコンパクトにすることができる。また、必要なヘッド部のみ購入可能であるため、ユーザにとって経済的である。
【００４３】
（３）リモート照明装置４の照射方向の変更や照射範囲の変更を行う場合、通常の撮影を行う場合と比べて設定操作が多くなる。また、通常の撮影における発光指令の場合と比べて送信する情報量が多いため通信に時間がかかる。本実施形態では、設定変更モードと通常の撮影モードと別々にして選択可能としている。したがって、通常の撮影の場合、設定操作を行うことなく撮影が可能であるため、通常撮影において時間がかかることがない。
【００４４】
（変形形態）
以上、説明した実施形態に限定されることなく、種々の変形や変更が可能であって、それらも本発明の範囲内である。
（１）本実施形態では、マスター装置３はカメラ２に対して着脱可能な外付け照明装置としたが、これに限定されない。マスター装置３はカメラ２に内蔵されていてもよい。この場合にはカメラ２は図４に示した構成を全て内蔵することになる。また、マスター装置３は照明装置に限定されず、送受信のみ行う送受信専用装置であってもよい。
（２）照射範囲調整機構２１、上下方向移動機構２２及び左右方向移動機構２３は本実施形態で説明した機構に限定されない。上下方向移動機構２２及び左右方向移動機構２３は、リモート発光部２０を上下及び左右に駆動できる機構であればどのような機構であってもよい。照射範囲調整機構２１も本実施形態で説明した機構に限定されない。照射範囲を変更できる機構であればどのような機構であってもよい。
（３）本実施形態では、電波による通信はマスター装置３からリモート照明装置４への一方向の通信であったがこれに限定されず、双方向に通信可能であってもよい。この場合、例えばリモート照明装置４から充電完了を示す信号をマスター装置３に送信することもでき、またフル発光の場合にフル発光であっこと知らせる信号をマスター装置３に送信することもできる。
（４）発光パルス信号を光、駆動信号を電波により通信する構成としたがこれに限定されず、発光パルス信号及び駆動信号をともに光により通信してもよく、また発光パルス信号及び駆動信号をともに電波により通信してもよい。
（５）照射範囲をリフレクタ３１の開きを変更することにより変更する構成としたが、これに限定されない。例えばキセノン管を前後に移動させることにより照射範囲を変更することもできる。
（６）リモート発光部２０は棒状のキセノン管を用いたがこれに限定されず、球形の発光部であってもよい。また球形の発光部を用いた場合、リフレクタは、円錐形にすることもできる。また各発光部２０としてＬＥＤを用いた照明装置であっても良い。
（７）本実施形態でリモート照明装置４は固定台８に固定されているが、固定台に例えばタイヤやキャタピラ、及びそれらの駆動機構を設け、マスター装置からの通信により固定台を自走させて所望の位置に移動させるようにしてもよい。
（８）リモート照明装置４の照射方向や照射範囲を所定量ずつ自動的に変化させるための指示をマスター操作部５０によって入力し、その所定量ずつ変化するたびに、撮影（リモート照明装置４の発光を伴う撮影）を行うようにカメラ２を設定しておけば、いわゆる照射方向ブラケッティング撮影や照射範囲ブラケッティング撮影を行うことも可能である。
なお、本実施形態及び変形形態は、適宜組み合わせて用いることもできるが、詳細な説明は省略する。また、本発明は以上説明した各実施形態によって限定されることはない。
【図面の簡単な説明】
【００４５】
【図１】本発明にかかる撮影用照明システムの一実施形態を示した図である。
【図２】リモート照明装置の概略断面図である。
【図３】リモート照明装置のブロック図であり、（ａ）はヘッド部のブロック図、（ｂ）は本体部のブロック図である。
【図４】マスター装置のブロック図である。
【図５】マスター装置の動作を示したフローチャートである。
【符号の説明】
【００４６】
１：撮影用照明システム、３：マスター装置、５：被写体、４：リモート照明装置、１０：本体部、１１：ヘッド部、１６：リモート受信部、２０：リモート発光部、２１：照射範囲調整機構、２２：上下方向移動機構、２３：左右方向移動機構、３０：キセノン管、３１：リフレクタ、５３：マスター送信部
【図１】
2009075340.tif 000003
【図２】
2009075340.tif 000004
【図３】
2009075340.tif 000005
【図４】
2009075340.tif 000006
【図５】
2009075340.tif 000007